(57)【要約】【課題】扉体が木製等のように剛性が不足している場合に、硬質樹脂製のケースを有するフランス落としを取り付けた場合に扉体が損傷することを防止する。【解決手段】硬質合成樹脂材により形成された裏面を開口した縦長のケース１の内部に、棒状の係止部材２が昇降可能に配置されているとともにケース１の前板１１に形成した長窓１２から突設させた操作片３を昇降させて係止部材２の下端２１をケース１の底板１３から出没させて昇降させ、その下端２１を床面４の所定の位置に形成した止座５に係脱して扉体６を所定の位置に固定しておくフランス落としにおいて、ケース１の裏面に形成されている開口部の下部に嵌挿される端面コ字形で硬質材により形成されているとともに基板７１に扉体６における縦框６１の下端部に形成された掘込溝６２への取付ねじ孔７３を有する。【選択図】　　　　図２
2004124451.tif 000002
【特許請求の範囲】
【請求項１】
扉体における縦框の下端部に形成された掘込溝に埋めこみ固定する硬質合成樹脂材により形成された裏面を開口した縦長のケースの内部に、棒状の係止部材が昇降可能に配置されているとともに前記ケースの前板に形成した長窓から突設させた操作片を昇降させて前記係止部材の下端を前記ケースの底板から出没させて昇降し、その先端を床面の所定の位置に形成した止座に係脱して前記扉体を所定の位置に固定しておくフランス落としの補強部材であって、前記ケースの裏面に形成されている開口部の下部に嵌挿される端面コ字形で硬質材により形成されているとともに基板に前記扉体における縦框の下端部に形成された掘込溝への取付ねじ孔を有することを特徴とするフランス落としの補強部材。
【発明の詳細な説明】
【０００１】
【発明の属する技術分野】
本発明は、フランス落としの補強部材、特に、硬質合成樹脂材により形成された裏面を開口した縦長のケースを有するフランス落としについての補強部材に関するものである。
【０００２】
【従来の技術】
従来、例えば特開平０７−３３１９４３号公報に提示されているように、硬質合成樹脂製のケースを有するフランス落としが知られている。
【０００３】
このフランス落としは、図４および図５に示すように、硬質合成樹脂材により形成された裏面を開口した縦長のケース１の内部に、棒状の係止部材２が昇降可能に配置されているとともにケース１の前板１１に形成した長窓１２から突設させた操作片３を昇降させて係止部材２の下端２１をケース１の底板１３から出没させて昇降させ、その下端２１を床面４の所定の位置に形成した止座５に係脱して扉体６を所定の位置に固定しておくものである。
【０００４】
【発明が解決しようとする課題】
ところが、前記従来の硬質樹脂製のケースを有するフランス落としは、扉体６の縦框６１の下端部に形成された掘込溝６２に嵌め込まれて取り付けられる。
【０００５】
そして、係止部材２の下端２１をケース１の底板１３から突出させて、その下端２１を床面４の所定の位置に形成した止座５に係止して扉体６を所定の位置に固定した状態で扉体６に開閉方向の押圧力が加わると、硬質合成樹脂製のケース１が撓むことから、ケース１を取り付けている扉体６も撓むことになる。
【０００６】
そのため、扉体６のケース１を取り付ける掘込溝６２を形成している側壁６３部分が破損することがあり、特に、扉体６が木製等のように剛性が不足している場合に著しい。
【０００７】
本発明は、斯かる実情に鑑みてなされたものであり、扉体６が木製等のように剛性が不足している場合に、硬質樹脂製のケースを有するフランス落としを取り付けた場合にも扉体が損傷することを防止することを課題とするものである。
【０００８】
【課題を解決するための手段】
前記課題を解決するためになされた本発明は、フランス落としのケースの裏面に形成されている開口部の下部に嵌挿される端面コ字形で硬質材により形成されているとともに基板に前記扉体における縦框の下端部に形成された掘込溝への取付ねじ孔を有するフランス落としの補強部材を用いることを解決手段とした。
【０００９】
補強部材を、予め、扉体における縦框の下端部に形成された掘込溝に止着し、次いで、前記掘込溝にケースを嵌装すると、前記補強部材の両側板が前記ケースの両側壁のうち側面にそれぞれ当接してケースが撓むのを防止する。
【００１０】
【発明の実施の形態】
次に、本発明の実施の形態につき図面を参照して説明する。
【００１１】
図１および図２は本発明の好ましい実施の形態の一例ならびにその使用状態を示すものであり、本発明に使用されるフランス落としは、前記図４および５に示した従来例と同様に、硬質合成樹脂材により形成された裏面を開口した縦長のケース１の内部に、棒状の係止部材２が昇降可能に配置されているとともにケース１の前板１１に形成した長窓１２から突設させた操作片３を昇降させて係止部材２の下端２１をケース１の底板１３から出没させるものである。
【００１２】
また、補強部材７は、フランス落としのケース１の裏面に形成されている開口部の下部に嵌挿される端面コ字形で鉄材などの硬質材により形成されている。
【００１３】
更に、詳しく説明すると、補強部材７は、前記ケース１の開口部の下部に嵌挿される長さと幅を有する基板７１の両側に、前記基板７１と同長で少なくともケース１の側壁１４，１４の長さよりも短い幅を有する側板７２，７２が折曲形成されており、基板７１には取付けねじ孔７３，７３が形成されている。
【００１４】
このような本実施の形態は、図２に示すように、予め、扉体６における縦框６１の下端部に形成されたケース１を嵌め込むための掘込溝６２の所定の位置に、取付けねじ孔７３，７３に取付ねじ８，８を用いて固定する。
【００１５】
次いで、ケース１を裏面側から掘込溝６２に嵌め込んでケース１に形成されている複数の取付けねじ孔１５に取付ねじ９を用いて固定する。
【００１６】
従って、扉体６に嵌め込まれたフランス落としのケース１の側壁１４，１４の内側に本実施の形態である補強部材７の側板７２，２がそれぞれ当接した状態で配置されることとになる。
【００１７】
このようにして取り付けられたフランス落としは、従来のものと同様に、係止部材２の下端２１をケース１の底板１３から突出させて、その下端２１を床面４の所定の位置に形成した止座５に係止して扉体６を所定の位置に固定する。
【００１８】
そして、固定した状態で、誤って扉体６に開閉方向の押圧力が作用したとしても、補強部材７の側板７２，７２がケース１の両側壁１４，１４にそれぞれ当接してケースが撓むのを防止するので、扉体６が破損することがない。
【００１９】
以上のように、本実施の形態は、きわめて簡単な構成で扉体６に充分な剛性を安価に付与することができ、また、ケース１を取り付ける前に、予め扉体６に形成した掘込溝６２の所定の位置に取付ねじ８，８を用いて固定するだけの簡単な作業でよい。
【００２０】
また、図３は本発明の異なる実施の形態を示すものであり、全体の構成ならびにしよう方法は前記図　乃至図　に示した実施の形態とほぼ同様であるが、基板７１と側板７２，７２との折曲部にリブ７４が設けられている点が異なる。
【００２１】
従って、本実施の形態は、前記実施の形態に比べて更に高い剛性を発揮することができる。
【００２２】
【発明の効果】
以上のように本発明を取り付けることとにより、フランス落としの係止部材の下端を床面の所定の位置に形成した止座に係止して扉体を所定の位置に固定した状態で誤って扉体に開閉方向の押圧力が加わったとき、扉体が木製等のように剛性が不足している場合であっても、硬質合成樹脂製のケースが撓むことがなく、ケースを取り付けている扉体の掘込溝を形成している部分が破損する心配がない。
【００２３】
また、本発明は、簡単な構成で安価に提供することができるとともに、止めねじで堀込溝の所定位置に固定するだけでよく、作業も容易である。
【図面の簡単な説明】
【図１】本発明の実施の形態の一例を使用するフランス落としとともに示す斜視図。
【図２】図１に示した実施の形態の使用状態を示す説明図。
【図３】本発明の異なる実施の形態を示す背面図および平面図。
【図４】従来のフランス落としを示す背面斜視図。
【図５】従来のフランス落としの使用状態を示す斜視図。
【符号の説明】
１　ケース、２　係止部材、３　操作片、４　床面、５　止座、６　扉体、７補強部材、１１　前板、１３　底板、６１　縦框、６２　掘込溝、７１　基板、７３　取付ねじ孔
【図１】
2004124451.tif 000003
【図２】
2004124451.tif 000004
【図３】
2004124451.tif 000005
【図４】
2004124451.tif 000006
【図５】
2004124451.tif 000007